(57)【要約】      （修正有）【課題】目詰まりを起こすことなく空気浄化能を高く持続することができる空気浄化装置を提供する。【解決手段】空気吸引口３が設けられた支持体４と、フィルタ５を備えていて前記支持体４に装着されるフィルタユニット６と、フィルタ５に空気を吸引するファン７とを備えた空気浄化装置であって、基板６１に二枚のフィルタ５を所定間隔をおいて立設して形成したフィルタユニット６を、空気吸引口３に対して前後反転可能として支持体４の開口部４１に装着する。フィルタ５を触媒フィルタとするとともに、支持体４内に触媒を活性化するための光源８を配することができる。【選択図】図１
2007159749.tif 000002
【特許請求の範囲】
【請求項１】
空気吸引口が設けられた支持体と、フィルタを備えていて前記支持体に装着されるフィルタユニットと、空気を吸引する空気吸引手段とを備えた空気浄化装置であって、前記フィルタユニットを空気吸引口に対して前後反転可能として支持体に装着したことを特徴とする空気浄化装置。
【請求項２】
基板に二枚のフィルタを所定間隔をおいて立設してフィルタユニットとなし、支持体には開口部を設けてこの開口部に前記フィルタユニットを着脱可能に装着したことを特徴とする請求項１に記載の空気浄化装置。
【請求項３】
二枚のフィルタの間に、空気冷却用のフィンを配設したことを特徴とする請求項２に記載の空気浄化装置。
【請求項４】
フィルタを触媒フィルタとするとともに、支持体内に触媒を活性化するための光源を配したことを特徴とする請求項１又は２に記載の空気浄化装置。
【請求項５】
光源を、二枚の触媒フィルタの間に配置したことを特徴とする請求項４に記載の空気浄化装置。
【請求項６】
空気吸引口と、この空気吸引口に向けて配設された空気吸引手段との間に、フィルタユニットを装着したことを特徴とする請求項１〜５の何れかに記載の空気浄化装置。
【請求項７】
空気吸引手段の空気排気側に、反転されたフィルタから脱着された塵埃を貯めるための貯留部を設けたことを特徴とする請求項１〜６の何れかに記載の空気浄化装置。
【請求項８】
遊技機が並列して設置された遊技機設置島の上部に配設したことを特徴とする請求項１〜７の何れかに記載の空気浄化装置。
【発明の詳細な説明】
【技術分野】
【０００１】
本発明は、パチンコ遊技場などのホールに配設される空気浄化装置に関するものである。
【背景技術】
【０００２】
パチンコ遊技場などのホールには煙草の臭いなどを消去するための空気浄化装置が配設される。特許文献１には、箱状の筐体と、該筐体の前面に引出し及び収納可能に設けられた灰皿と、筐体内部に設けられた脱臭手段とを具備してなり、前記筐体には該筐体および／または灰皿の前面に室内の空気を導入する空気導入口が設けられ、前記脱臭手段により脱臭された清浄空気を排出する清浄空気排出口が所定の位置に設けられて成ることを特徴とする消臭機能付き灰皿が開示されている。
【０００３】
上記したものは、消臭効果は上がるものの、空気導入口より取り込んだ空気には塵埃が含まれているために、触媒などの脱臭手段の表面にこの塵埃が吸着し、目詰まりを起こしてしまうという問題がある。目詰まりを起こすと空気の吸引力が低下して脱臭効果が劣ってしまうこととなる。
【特許文献１】特開平１０−２４８５４９号公報  (図１)
【発明の開示】
【発明が解決しようとする課題】
【０００４】
本発明は、上記した従来の問題点に鑑み、目詰まりを起こすことなく空気浄化能を高く持続することができる空気浄化装置を提供することを課題とする。
【課題を解決するための手段】
【０００５】
上記の課題を解決するためになされた本発明の空気浄化装置は、空気吸引口が設けられた支持体と、フィルタを備えていて前記支持体に装着されるフィルタユニットと、空気を吸引する空気吸引手段とを備えた空気浄化装置であって、前記フィルタユニットを空気吸引口に対して前後反転可能として支持体に装着したことを特徴とするものである。
【０００６】
上記した空気浄化装置において、基板に二枚のフィルタを所定間隔をおいて立設してフィルタユニットとなし、支持体には開口部を設けてこの開口部に前記フィルタユニットを着脱可能に装着することができ、
二枚のフィルタの間に、空気冷却用のフィンを配設することができ、
フィルタを触媒フィルタとするとともに、支持体内に触媒を活性化するための光源を配することができ、
この光源を、二枚の触媒フィルタの間に配置することができる。
さらに、空気吸引口と、この空気吸引口に向けて配設された空気吸引手段との間に、フィルタユニットを装着することができ、
空気吸引手段の空気排気側に、反転されたフィルタから脱着された塵埃を貯めるための貯留部を設けることができる。
また、以上のような空気浄化装置を、遊技機が並列して設置された遊技機設置島の上部に配設することもできる。
【発明の効果】
【０００７】
請求項１に係る発明は、フィルタユニットを空気吸引口に対して前後反転することによって、フィルタに付着した塵埃を脱着して、脱臭効果を良好に持続することができる。
請求項２に係る発明は、簡単な構造でフィルタユニットを着脱して反転させることができる。
請求項３に係る発明は、フィンによる空気の冷却効果を高めることができる。
請求項４に係る発明は、触媒フィルタと光源とにより脱臭効果を高めることができる。
請求項５に係る発明は、遊技機設置島の上部に配置した蛍光灯を光源として併用することができる。
請求項６に係る発明は、空気吸引手段でフィルタに効率よく空気を吸引することができる。
請求項７に係る発明は、フィルタから脱着させた塵埃を貯留部に貯めることができる。
請求項８に係る発明は、空気浄化装置で遊技機設置島が配設された遊技ホールの空気を浄化することができる。
【発明を実施するための最良の形態】
【０００８】
以下に本発明を実施形態に基づき説明する。
図１は、本発明に係る空気浄化装置を示す図であって、この空気浄化装置１は、図２、３に示すように遊技機が並列して設置された遊技機設置島２の上部に配設されている。空気浄化装置１は、空気吸引口３が設けられた支持体４と、二枚のフィルタ５を有するフィルタユニット６と、当該フィルタ５に空気を吸引する空気吸引手段であるファン７とを備えている。
【０００９】
フィルタユニット６の詳細を図４、５に示す。フィルタユニット６は、基板６１の両端に側面視コの字状に支持枠６２が立設され、この支持枠６２にフィルタ５が押え枠６３によってねじ止めされて構成されている。フィルタ５として、金網、ペーパー、濾布多孔性樹脂などの濾材を用いることができるし、濾材に酸化チタンや活性炭などがコーティング、蒸着などされた触媒フィルタを用いることができる。なお、フィルタユニット６には取手６４を設けてある。
【００１０】
支持体４には、空気吸引口３に直交する側面に開口部４１が設けられており、この開口部４１の左右にレール４３が配置されている。フィルタユニット６を開口部４１に差し込んでレール４３上をスライドさせることによって、フィルタユニット６を着脱可能に支持体４に装着することができる。フィルタユニット６のフィルタ５の一面は空気吸引口３に向けられている。
【００１１】
フィルタ６として、濾材に酸化チタンが光触媒加工された触媒フィルタを用いた場合には、支持体４内に光触媒を活性化するための光源８を配するのが望ましい。この光源８は図１に示すように、開口部４１が設けられた側面とは反対側の側面に突設することによって、二枚のフィルタ５の間に位置させることができる。光源８として紫外線ランプ、蛍光灯などを用いることができる。近年遊技ホールの大型化、高天井化に伴い、遊技者の手元照明用の蛍光灯を上部に備えた遊技機設置島が増加してきており、この蛍光灯を併用することにより触媒活性化専用の光源を別途設ける必要が解消される。
なお、光源８の近傍には照度センサー８１が配置され、光源８の照度が低下してきたときに、検知ランプ８２を点灯させてフィルタユニット６を反転させる時期を報知する。光源８はフィルタ５の前面側に配置しても差し支えはない。
【００１２】
空気吸引口３が設けられた支持体４の反対側の側面には空気排出口４２が設けられ、この空気排出口４２には空気吸引口３に向けてファン７が配設されている。そして、空気吸引口３とファン７との間には、開口部４１から差し込まれたフィルタユニット６の二枚のフィルタ５が存在している。ファン７は、空気吸引口３から吸い込んだ空気を二枚のフィルタ５を通過させるとともに、その空気を空気排出口４２から排出する。空気排出口４２の空気排出側には、通気性を有する紙パック、濾布などの塵埃を貯めるための貯留部９が設けられている。
【００１３】
以上のように構成されたものは、開口部４１にフィルタユニット６を差し込んでファン７を作動させれば、図６に示すように、空気吸引口３から汚染された空気が吸引される。空気中の塵埃は空気吸引口３に対向するフィルタ５の前面に補足される。フィルタ５が光触媒フィルタである場合には、酸化チタンに紫外線や蛍光灯の光があたると光触媒反応が起き、酸化チタンに付着した有機物が酸化分解され、この働きにより空気を脱臭、浄化することができる。
【００１４】
空気浄化装置を長時間運転するとフィルタ５の前面には空気中の塵埃が蓄積されて、フィルタ５が目詰まりを起こし、空気吸引力の低下、空気浄化能の低下を招く。そこでこのような場合には、図７に示すように、フィルタユニット６を開口部４１から抜き取って後前後反転させて再び開口部４１に装着する。これによって、塵埃の付着したフィルタ面はファン７の方向に向けられることになるので、ファン７の作動により、吸引された空気によってフィルタ５から塵埃を脱着することができる。脱着された塵埃は、図８に示すように空気排出口４２を通過して貯留部９に貯められることとなる。
以上の操作を繰り返すことにより浄化能を低下させることなく半永久的に空気浄化装置を運転することができる。
【００１５】
図９には、別の形態の空気浄化装置を示す。この空気浄化装置は、二枚のフィルタ５の間に複数枚のフィン１０が配設されているので、このフィン１０により温暖化した空気の冷却を行うことができる。フィルタ５が目詰まりすると、ファン７による空気の冷却機能が低下してしまう。そこで、同様にフィルタユニット６を前後反転させて装着することにより、空気の冷却機能を低下させることなく、冷却効果を維持させることができるという利点がある。
【図面の簡単な説明】
【００１６】
【図１】空気浄化装置の側面断面図である。
【図２】空気浄化装置を備えた遊技機設置島の側面図である。
【図３】空気浄化装置を備えた遊技機設置島の正面図である。
【図４】フィルタユニットの斜視図である。
【図５】フィルタユニットの分解斜視図である。
【図６】空気を吸引中の空気浄化装置の側面断面図である。
【図７】フィルタユニットを前後反転する状態を示す説明図である。
【図８】反転後のフィルタユニットから塵埃を脱着する状態を示す説明図である。
【図９】フィンを備えた空気浄化装置の側面断面図である。
【符号の説明】
【００１７】
３  空気吸引口、４  支持体、５  フィルタ、６  フィルタユニット、７  ファン、８  光源、４１  開口部、６１  基板
【図１】
2007159749.tif 000003
【図２】
2007159749.tif 000004
【図３】
2007159749.tif 000005
【図４】
2007159749.tif 000006
【図５】
2007159749.tif 000007
【図６】
2007159749.tif 000008
【図７】
2007159749.tif 000009
【図８】
2007159749.tif 000010
【図９】
2007159749.tif 000011